(57)【要約】【課題】機器の美観を損なうことなく、発熱体で発生した熱を速やかに拡散させることができる。【解決手段】  カメラモジュール１７は、２つの発熱体（ＦＰＧＡ１６ｄ及びＵＳＢコントローラ１６ｅ）が収容されるハウジング８０を備える電子機器において、ハウジング８０の内壁面に熱伝導性塗料９４が塗布されている。この場合、機器の美観を損なうことなく、発熱体で発生した熱を速やかに拡散させることができる。結果として、カメラモジュール１７は安全性、信頼性、審美性に優れる。【選択図】図１０
2014187230.tif 000002
【特許請求の範囲】
【請求項１】
少なくとも１つの発熱体が収容される筐体を備える電子機器において、
前記筐体の内壁面の少なくとも一部に熱伝導材が設けられていることを特徴とする電子機器。
【請求項２】
前記熱伝導材は、前記筐体よりも熱伝導率が高いことを特徴とする請求項１に記載の電子機器。
【請求項３】
前記熱伝導材は、前記内壁面の少なくとも一部に塗布された熱伝導性塗料であることを特徴とする請求項１又は２に記載の電子機器。
【請求項４】
前記筐体内における前記発熱体と前記熱伝導材との間に配置された熱伝達手段を更に備えることを特徴とする請求項１〜３のいずれか一項に記載の電子機器。
【請求項５】
前記筐体には、前記熱伝導材に隣接する位置に通気口が設けられていることを特徴とする請求項１〜４のいずれか一項に記載の電子機器。
【請求項６】
前記熱伝導材は、金属を含むことを特徴とする請求項１〜５のいずれか一項に記載の電子機器。
【請求項７】
前記筐体は、樹脂製であることを特徴とする請求項１〜６のいずれか一項に記載の電子機器。
【請求項８】
前記筐体に一部が露出するように保持された撮影レンズと、
前記筐体内に設けられ、前記撮影レンズを介して被写体の画像情報を取得する撮像素子と、を更に備えることを特徴とする請求項１〜７のいずれか一項に記載の電子機器。
【請求項９】
通信網を介した情報共有に用いられる通信装置であって、
請求項８に記載の電子機器と、
前記電子機器の撮像素子で取得された画像情報を前記通信網を介して送信する送信手段と、を備える通信装置。
【発明の詳細な説明】
【技術分野】
【０００１】
本発明は、電子機器及び通信装置に係り、更に詳しくは、少なくとも１つの発熱体が収容される筐体を備える電子機器、及び該電子機器を備える通信装置に関する。
【背景技術】
【０００２】
従来、発熱体（例えば電子部品）を備える携帯型電子機器が知られている（例えば特許文献１参照）。
【０００３】
この携帯型電子機器では、発熱体で発生した熱を、該発熱体が収容された金属製の筐体に伝達して速やかに拡散させている。
【発明の概要】
【発明が解決しようとする課題】
【０００４】
しかしながら、特許文献１に開示されている携帯型電子機器では、筐体が高温になるため、安全上、筐体の外壁面を断熱材で覆う必要があり、機器の美観が損なわれるおそれがあった。
【課題を解決するための手段】
【０００５】
本発明は、少なくとも１つの発熱体が収容される筐体を備える電子機器において、前記筐体の内壁面の少なくとも一部に熱伝導材が設けられていることを特徴とする電子機器である。
【発明の効果】
【０００６】
これによれば、機器の美観を損なうことなく、発熱体で発生した熱を速やかに拡散させることができる。
【図面の簡単な説明】
【０００７】
【図１】図１（Ａ）及び図１（Ｂ）は、それぞれ会議装置の基準形態における斜視図（その１及びその２）である。
【図２】会議装置の基準形態における上面図である。
【図３】会議装置の制御の構成を示すブロック図である。
【図４】会議装置の基準形態における側面図（その１）である。
【図５】会議装置の基準形態における側面図（その２）である。
【図６】会議装置の基準状態における下面図である。
【図７】会議装置の開き形態における側面図である。
【図８】会議装置の最大開き形態における斜視図である。
【図９】図９（Ａ）及び図９（Ｂ）は、それぞれ会議装置が備えるカメラモジュールの斜視図（その１及びその２）である。
【図１０】カメラモジュールのαβ断面図である。
【図１１】会議装置を用いて行われるテレビ会議の一態様を示す図である。
【発明を実施するための形態】
【０００８】
以下、一実施形態を図１〜図１１に基づいて説明する。図１（Ａ）及び図１（Ｂ）には、基準形態における会議装置１００（通信装置）を異なる方向から見た斜視図が示されている。この会議装置１００は、複数の拠点間での例えばインターネット等のネットワーク（通信網）を介したテレビ会議（情報共有）に用いられる。すなわち、会議装置１００は、いわゆるテレビ会議装置である。
【０００９】
会議装置１００は、図１（Ａ）及び図１（Ｂ）に示されるように、基準形態では、全体として、例えばＡ４版サイズの略矩形平板状の外形（例えば厚さが２０ｍｍ〜４０ｍｍ程度）を有している。
【００１０】
このように、会議装置１００は、基準形態において、薄型コンパクトになるように設計されている。また、会議装置１００は、後に詳述するように、基準形態と、例えば机、テーブル等の上面（以下では、載置面とも称する）上に載置された状態での使用に適した開き形態との間で形態を移行させることができる。
【００１１】
図２には、基準形態の会議装置１００が、水平な載置面上に載置された状態が示されている。以下では、会議装置１００の長手方向をＸ軸方向、水平面内でＸ軸方向に直交する方向をＹ軸方向、Ｘ軸方向及びＹ軸方向のいずれにも直交する方向（鉛直方向）をＺ軸方向として説明する。また、会議装置１００は、特に断りがない限り、基準形態になっているものとする。
【００１２】
会議装置１００は、図１（Ａ）〜図２に示されるように、第１筐体１０、第２筐体１２、ディスプレイ１４、カメラ１６（図３参照）を含むカメラモジュール１７（電子機器）、スピーカ１８、マイク２０、制御装置２４（図３参照）などを備えている。
【００１３】
第１筐体１０は、一例として、図１（Ａ）及び図１（Ｂ）に示されるように、制御装置２４が収容されている制御装置収容部１０ａと、複数の操作部材が設けられている操作パネル部１０ｂとを有している。第１筐体１０は、いわゆる平置き型の筐体である。
【００１４】
制御装置２４は、画像データ及び音声データをエンコード処理またはデコード処理をして、例えばインターネット等のネットワークを介した画像及び音声の送受信を制御する。
【００１５】
この制御装置２４は、図３に示されるように、制御用基板としてのメインボード６２、音声処理用及び操作用基板としてのサブボード６３などを含む。
【００１６】
メインボード６２には、一例として、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０４、ＨＤＤ（Ｈａｒｄ  Ｄｉｓｋ  Ｄｒｉｖｅ）１０６（もしくはストレージまたは記録デバイス）、データ入出力Ｉ／Ｆ（Ｉｎｔｅｒ  ｆａｃｅ）１０８、ネットワークＩ／Ｆ１１０、画像入力Ｉ／Ｆ１１２及び画像出力Ｉ／Ｆ１１４の各構成要素が実装されている。ＣＰＵ１０１、ＲＯＭ１０２、ＲＡＭ１０４、ＨＤＤ１０６、データ入出力Ｉ／Ｆ１０８及びネットワークＩ／Ｆ１１０は、アドレスバス、データバス等のバスライン１１６を介して、双方向通信可能に接続されている。なお、上述した画像データは、動画または間欠画像（一定時間間隔の静止画像）のデータである。
【００１７】
ＣＰＵ１０１は、所定のプログラム（会議装置用プログラム）に基づいて会議装置１００全体の動作を制御する。なお、会議装置用プログラムに従ったＣＰＵ１０１の命令による、ネットワーク（例えばインターネット）を介した音声及び画像の双方向通信にかかる一連の動作は後述する。
【００１８】
ＲＯＭ１０２は、ＩＰＬ(Ｉｎｉｔｉａｌ  Ｐｒｏｇｒａｍ  Ｌｏａｄｅｒ)等のＣＰＵ１０１の駆動に用いられるプログラムが記憶されている。ＲＡＭ１０４は、ＣＰＵ１０１のワークエリアとして使用される。
【００１９】
ＨＤＤ１０６は、上記会議装置用プログラム、画像データ、音声データ等の各種データが記憶される。なお、ＨＤＤに限らず、例えばＳＳＤ（Ｓｏｌｉｄ  Ｓｔａｔｅ  Ｄｒｉｖｅ）等を用いてもよい。上記会議装置用プログラムは、インストール可能な形式又は実行可能な形式のファイルで、例えば記録メディア等の、コンピュータで読み取り可能な記録媒体に記録して流通させるようにしてもよい。また、上記会議装置用プログラムは、ＨＤＤ１０６ではなく、ＲＯＭ１０２に記憶されるようにしてもよい。ＨＤＤ１０６は、ＣＰＵ１０１の制御にしたがってＨＤＤ１０６に対する各種データの読み出し又は書き込みを制御する。
【００２０】
データ入出力Ｉ／Ｆ１０８は、後述する複数のＵＳＢ端子に接続された例えばフラッシュメモリ等の記録メディアＭに対するデータの読み出し又は書き込み（記憶）を制御するとともに、ＵＳＢ端子に接続された例えばＰＣ（パーソナルコンピュータ）からのデータの他拠点の会議装置への送信を制御する。
【００２１】
記録メディアＭは、複数のＵＳＢ端子のうちの一のＵＳＢ端子に着脱自在となっている。なお、例えば記録メディアＭがＳＤメモリ、コンパクトフラッシュ（登録商標）などＵＳＢ端子に直接に着脱できないものであれば、ＵＳＢ端子にメモリ読書ドライブを着脱させるように構成しても良いし、別途に、会議装置１００に予めメモリ読書ドライブを設けていても良い。また、記録メディアＭとしては、ＣＰＵ１０１の制御にしたがってデータの読み出し又は書き込みを行う不揮発性メモリであれば、フラッシュメモリに限らず、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００２２】
ネットワークＩ／Ｆ１１０は、後述するＬＡＮ端子３８（例えばイーサネット（登録商標）端子）を含み、インターネットを介したデータ（画像データ及び音声データ）の入出力（送受信）を行う。すなわち、ネットワークＩ／Ｆ１１０は、画像データ送信手段としての機能を含む。なお、ネットワークＩ／Ｆ１１０としては、有線のＬＡＮ端子に接続可能なように設けても良いし、また、無線のＬＡＮに接続できる無線ＬＡＮのネットワークＩ／Ｆであっても良い。
【００２３】
画像入力Ｉ／Ｆ１１２は、カメラ１６から出力される被写体の画像信号を所定の画像データとして取り込む。
【００２４】
また、画像出力Ｉ／Ｆ１１４は、他の拠点の会議装置１００の宛先や画質調整、出力信号の選択などの操作用アイコン等のメニュー画面、インターネットを介して受信されたデータのうちエンコードされた画像データ、及びカメラ１６により取り込まれた画像データを、例えばディスプレイ１４、後述する画像出力端子４２に接続される例えばモニタ装置、テレビ、プロジェクタなどが受け入れ可能な所定のアナログまたはデジタルの画像信号に変換して出力するようになっている。なお、エンコードされた画像データを所定のコーデックを用いてデコードするのはＣＰＵ１０１による。この所定の画像信号としては、アナログＲＧＢ信号（ＶＧＡ）、コンポーネントビデオ信号、ＨＤＭＩ（登録商標）（Ｈｉｇｈ―Ｄｅｆｉｎｉｔｉｏｎ  Ｍｕｌｔｉｍｅｄｉａ  Ｉｎｔｅｒｆａｃｅ）信号、ＤＶＩ（Ｄｉｇｉｔａｌ  Ｖｉｄｅｏ  Ｉｎｔｅｒａｃｔｉｖｅ）信号が挙げられる。
【００２５】
サブボード６３には、前述した複数の操作ボタンに対応する複数の操作端子１１８、音声入出力Ｉ／Ｆ１２０及び音声制御部１２２の各構成要素が実装されている。複数の操作端子１１８及び音声制御部１２２は、バスライン１１６を介して、互いに双方向通信可能に接続され、かつメインボード６２に実装された上記各構成要素と双方向通信可能に接続されている。
【００２６】
音声入出力Ｉ／Ｆ１２０は、マイク２０により入力された音声信号を所定の音声データとして取り込んで、該音声データを音声制御部１２２に送るとともに、ネットワークＩ／Ｆ１１０、音声制御部１２２を介して受信された音声データをスピーカ１８で再生可能な音声信号に変換する。
【００２７】
音声制御部１２２は、後述する一対のボリュームボタン６２ａ、６２ｂが操作されるのに伴いスピーカ１８から出力される音の音量を調整し、後述するマイクミュートボタン６４が押し下げられる（ＯＮ／ＯＦＦされる）のに伴いマイク２０による音の入力／非入力を切り替える。
【００２８】
また、音声制御部１２２は、他の拠点の会議装置１００との双方向通信時に、スピーカ１８から出力された音がマイク２０により入力され、該他の拠点の会議装置１００との間で音波のループを形成して発生するエコー、ハウリングを抑制するエコーキャンセル処理機能を有するとともに、例えば室内の空調の作動音などのマイク２０で入力された音を低減させるノイズキャンセル処理機能を有する。
【００２９】
制御装置収容部１０ａは、図４及び図５を総合すると分かるように、一例として、Ｘ軸方向を長手方向とする略矩形平板状の外形を有する箱形部分から成る。
【００３０】
図４に示されるように、制御装置収容部１０ａの＋Ｘ側の側壁には、４つの開口が形成されており、該４つの開口には、それぞれメインボード６２に実装されている通信用のＬＡＮ端子３８、ＨＤＭＩ（登録商標）規格に準拠する画像出力端子４０、ＶＧＡ規格に準拠する画像出力端子４２、電源端子４４（電源ジャック）が嵌め込まれている。画像出力端子４０、４２に代えて又は加えて、ＤＶＩ―Ｉ端子、コンポーネント端子、Ｄ端子、Ｓ端子、コンポジット端子が設けられていても良い。
【００３１】
また、図５に示されるように、制御装置収容部１０ａの−Ｙ側の側壁の−Ｘ側の端部には、一例として、２つの開口が形成されており、該２つの開口には、それぞれメインボード６２に実装されているＵＳＢ端子２８、３０が嵌め込まれている。また、制御装置収容部１０ａの−Ｙ側の側壁の＋Ｘ側の端部には、一例として、３つの開口が形成されており、該３つの開口には、それぞれメインボード６２に実装されているヘッドフォン接続用端子３２、マイク接続用端子３４、ＵＳＢ端子３６が嵌め込まれている。
【００３２】
操作パネル部１０ｂは、図２、図４及び図５を総合すると分かるように、Ｘ軸方向を長手方向とする細長い略矩形平板状の外形を有する箱形部分から成り、制御装置収容部１０ａの−Ｙ側の端部の＋Ｚ側の端に連続している。
【００３３】
操作パネル部１０ｂの＋Ｚ側の壁の−Ｘ側の領域には、図２に示されるように、一例として、５つの開口がＸ軸方向に並べて形成されており、該５つの開口には、５つの操作部材が個別に嵌め込まれている。これら５つの操作部材は、一例として、−Ｘ側から＋Ｘ側にかけて順に、電源ボタン４８、メニューボタン５０、カーソル５２、決定ボタン５４、通信相手とのインターネット回線を切断するための切断ボタン５６となっている。
【００３４】
電源ボタン４８は、会議装置１００に対する電源のＯＮ／ＯＦＦを行うための操作部材である。操作パネル部１０ｂにおける電源ボタン４８の近傍には、電源ＯＮ時に点灯する電源ランプ４９が設けられている。
【００３５】
メニューボタン５０は、ディスプレイ１４にメニュー画面を呼び出すための操作部材である。
【００３６】
カーソル５２は、ディスプレイ１４に表示されるメニュー画面内に表示された項目を選択するための操作部材である。すなわち、カーソル５２を操作することで、メニュー画面内の項目を選択できるようになっている。
【００３７】
決定ボタン５４は、メニュー画面内において選択された項目を決定するための操作部材である。メニュー画面内において選択及び決定される項目としては、例えば、他の拠点の会議装置１００の宛先などが挙げられる。
【００３８】
切断ボタン５６は、通信相手の会議装置１００とのインターネット回線を切断するための操作部材である。
【００３９】
操作パネル部１０ｂの＋Ｚ側の壁の＋Ｘ側の領域には、一例として、５つの開口がＸ軸方向に並べて形成されており、該５つの開口には、５つの操作部材が個別に嵌め込まれている。これら５つの操作部材は、一例として、−Ｘ側から＋Ｘ側にかけて順に、ビュー切換ボタン５８、明度調整ボタン６０、一対のボリュームボタン６２ａ、６２ｂ、マイクミュートボタン６４となっている。
【００４０】
ビュー切換ボタン５８は、カメラ１６によって取り込まれた画像のうち、他の拠点に送信する画像を切り換えるための操作部材である。すなわち、例えばある拠点に複数のユーザ（会議参加者）がいる場合に、ビュー切換ボタン５８を押すことで、複数のユーザの少なくとも１人が選択的に表示された複数の画像のうちいずれかを他の拠点に送信することができる。
【００４１】
明度調整ボタン６０は、ディスプレイ１４に表示される画像の明度を調整するための操作部材である。会議装置１００の周囲の明るさに応じて明度調整ボタン６０を適宜押圧することで、ディスプレイ１４の画面の明るさを視認性の良い適切な明るさに調整することができる。ここでは、一例として、明度調整ボタン６０で調整される明度がＮ段階（Ｎは、自然数）に設定されており、明度調整ボタン６０が押圧される度に、明度が段階的に高く又は低くなり、明度調整ボタン６０がＮ回押圧されると、元の明度に戻るようになっている。
【００４２】
一対のボリュームボタン６２ａ、６２ｂは、スピーカ１８から出力される音の音量を調整するための操作部材である。一対のボリュームボタン６２ａ、６２ｂのうち、−Ｘ側のボリュームボタン６２ａを押圧することで、上記音量を下げることができ、＋Ｘ側のボリュームボタン６２ｂを押圧することで、上記音量を上げることができる。
【００４３】
マイクミュートボタン６４は、マイク２０のＯＮ／ＯＦＦを切り替えるための操作部材である。なお、マイク２０がＯＮとは、マイク２０を介して音声が入力される状態を意味し、マイク２０がＯＦＦとは、マイク２０を介して音声が入力されない状態を意味する。
【００４４】
第２筐体１２は、図１（Ａ）及び図１（Ｂ）に示されるように、ディスプレイ１４、スピーカ１８の一部、マイク２０の一部が収容されている第１収容部１２ａと、スピーカ１８の残部、マイク２０の残部が収容されている第２収容部１２ｂとを有している。
【００４５】
第１収容部１２ａは、図２、図４及び図５を総合すると分かるように、Ｘ軸方向を長手方向とする略矩形平板状の外形を有する箱形部分から成り、制御装置収容部１０ａの＋Ｚ側であって、操作パネル部１０ｂの＋Ｙ側に位置している。ここでは、一例として、会議装置１００が基準形態のとき、第１収容部１２ａの−Ｚ側の面は、制御装置収容部１０ａの＋Ｚ側の面に当接している。
【００４６】
第１収容部１２ａ内のほぼ中央には、ディスプレイ１４がＸＹ平面に平行な状態で収容されている。
【００４７】
ディスプレイ１４は、一例として、画像が表示される表示面を有する液晶パネルと、該液晶パネルを挟む位置に配置された２つの電極と、該２つの電極を挟む位置に配置された２つの偏光板とを含む液晶構造体、及び該液晶構造体の一側に配置されたバックライトを含み、全体として、平板状の外形を有している。すなわち、ここでは、ディスプレイ１４は、いわゆる液晶ディスプレイである。
【００４８】
第１収容部１２ａの＋Ｚ側の面には、一例として、ディスプレイ１４よりも一回り以上大きな矩形開口が形成されており、該矩形開口には、強化プラスチックからなるカバーパネル２６が嵌め込まれている。すなわち、ディスプレイ１４は、カバーパネル２６によって＋Ｚ側から覆われている。カバーパネル２６は、ディスプレイ１４に対応（対向）する部分が透明となっており、該部分を取り囲む部分が例えば黒色となっている。以下では、カバーパネル２６の透明部分をクリアパネル部ＣＰと称し、カバーパネル２６の黒色部分をブラックパネル部ＢＰと称する。この場合、ディスプレイ１４の液晶パネルは、＋Ｚ側からクリアパネル部ＣＰを介して視認可能となっている。
【００４９】
第２収容部１２ｂは、図４及び図５を総合すると分かるように、Ｘ軸方向を長手方向とする略矩形平板状の箱形部分から成り、第１収容部１２ａの＋Ｙ側の端部の−Ｚ側の端に連続している。すなわち、第２収容部１２ｂは、第１収容部１２ａの−Ｚ側の端よりも−Ｚ側に突出している。
【００５０】
図２に示されるように、第１収容部１２ａの＋Ｙ側の端部と第２収容部１２ｂとで形成される空間の−Ｘ側の端部には、スピーカ１８が、音声出力方向が概ね＋Ｚ方向となるように配置されている。
【００５１】
ここでは、スピーカ１８として、例えばフルレンジタイプの丸型のものが採用されているが、その他のものでも良い。スピーカ１８は、音声入出力Ｉ／Ｆ１２０に結線されており、該音声入出力Ｉ／Ｆ１２０から送信される音声信号を音声として出力する（図３参照）。
【００５２】
ブラックパネル部ＢＰにおけるスピーカ１８に対応する部分には、スピーカ１８から出力された音声を外部に放出するための、複数の小さな貫通孔を含んで構成される音声放出口６８が形成されている（図２参照）。
【００５３】
また、第１収容部１２ａの＋Ｙ側の端部と第２収容部１２ｂとで形成される空間におけるカメラ１６の＋Ｘ側の領域には、マイク２０が、音声入力方向が概ね−Ｚ方向となるように配置されている。
【００５４】
ここでは、マイク２０として、例えば小型の無指向性のものが採用されているが、指向性を有するものを用いても良い。マイク２０は、音声入出力Ｉ／Ｆ１２０に結線されており、入力した音声を音声信号として音声入出力Ｉ／Ｆ１２０に送信する（図３参照）。
【００５５】
ブラックパネル部ＢＰのマイク２０に対応する部分には、マイク２０を介して入力される音声を取り込むための、少なくとも１つの小さな貫通孔を含んで構成される音声取込口７０が形成されている。
【００５６】
また、ブラックパネル部ＢＰの−Ｘ側かつ−Ｙ側の角部には、外付け用バッテリの充電量の残量を表示する残量ランプ７２、インターネット回線の接続状況を表示する回線ランプ７４が設けられている。
【００５７】
以下では、図７に示されるように、Ｘ軸に直交し、かつカバーパネル２６に平行な軸をα軸、Ｘ軸及びα軸のいずれにも直交する軸をβ軸と称して説明する。そこで、会議装置１００が基準形態のとき、α軸は、Ｙ軸に一致し、β軸は、Ｚ軸に一致する。
【００５８】
ここで、第１収容部１２ａの−Ｙ側の端部、すなわち−α側の端部は、Ｘ軸方向を軸方向とするトルクヒンジを介して第１筐体１０に接続されている。そして、ディスプレイ１４の液晶パネルは、＋β側から視認可能であり、撮影レンズ１６ａは＋β側に露出し、スピーカ１８の音声出力方向は、概ね＋β側となり、マイクの音声入力方向は、概ね−β側となる。
【００５９】
すなわち、第２筐体１２は、上記トルクヒンジの作用により、Ｘ軸周りに関して、第１筐体１０に当接する当接位置（図４及び図５参照）と第１筐体１０から離間する離間位置（図７参照）との間をＸ軸周りに相対回動可能となっている。そこで、以下では、第２筐体１２が離間位置に位置するときの会議装置１００の形態を、開き形態とも称する。
【００６０】
第２筐体１２の第１筐体１０に対するＸ軸周りの回動角度θは、会議装置１００が基準形態のとき、すなわち第２筐体１２が当接位置に位置するときをθ＝０°とすると、例えば０°≦θ≦９０°に設定されている。図８では、θ＝９０°であり、会議装置１００は、最大開き形態になっている。そして、上記トルクヒンジの作用により、第２筐体１２を第１筐体１０に対してＸ軸周りの回動角度θの位置でホールドできるようになっている。なお、第２筐体１２が当接位置に位置するときの会議装置１００の形態が基準形態である。
【００６１】
ここで、図８に示されるように、第２筐体１２の＋α側の端部のＸ軸方向中央には、略直方体形状の切り欠き１２ｃが形成されており、該切り欠き１２ｃ内に、カメラモジュール１７が嵌め込まれている。ここでは、カメラモジュール１７は、第２筐体１２に対してＸ軸周りに回転可能となっている。
【００６２】
カメラモジュール１７は、一例として、図９（Ａ）〜図１０に示されるように、カメラ１６に加えて、ハウジング８０（筐体）、基板８５、放熱部材９０、熱伝導部材９２などを含む。なお、図１０は、図９（Ａ）のαβ断面図である。
【００６３】
ハウジング８０は、図９（Ａ）及び図９（Ｂ）に示されるように、Ｘ軸方向に延びる細長い中空形状を有しており、互いに接合された正面カバー８１及び背面カバー８２を含む。ここでは、正面カバー８１は、背面カバー８２の＋β側に位置している。正面カバー８１及び背面カバー８２は、例えばエンジニアリング・プラスチックと呼ばれる、強度が高く、耐熱性に優れる樹脂製である。このエンジニアリング・プラスチックとしては、ポリアセタール、ポリアミド、ポリカーボネートや、複数のポリマーを混合させたもの等でも良い。この複数のポリマーを混合させたものとしては、ＡＢＳ樹脂とポリカーボネートを混合したものや、ＡＢＳ樹脂とポリアミドを混合させたもの等が挙げられる。このようなエンジニアリング・プラスチックの熱伝導率は、概ね１．０Ｗ／ｍ・Ｋ〜０．２Ｗ／ｍ・Ｋの範囲である。
【００６４】
正面カバー８１は、図１０に示されるように、Ｘ軸方向に延びる−β側が開放されたαβ断面略Ｕ字状の箱形部材から成り、Ｘ軸方向中央に段付き開口８１ａが形成されている。ここでは、段付き開口８１ａは、＋β側の開口が−β側の開口よりも大きくなっている。
【００６５】
正面カバー８１の＋β側の面には、プレート８８が取り付けられている。プレート８８には、段付き開口８１ａに対応する箇所に、段付き開口８１ａの＋β側の開口と略同じ大きさの開口８８ａが形成されている。
【００６６】
背面カバー８２は、Ｘ軸方向に延びる＋β側が開放されたαβ断面略Ｕ字状の箱形部材から成る。背面カバー８２の−β側の壁は、−β側に凸となるように湾曲している。
【００６７】
背面カバー８２の−β側の壁の＋α側の端部には、格子状に並ぶ複数の通気口８２ａが形成されている。背面カバー８２の−β側の壁の−α側の端部には、格子状に並ぶ複数の通気口８２ｂが形成されている。
【００６８】
カメラ１６は、いわゆる電子カメラであり、撮影レンズ１６ａ、レンズホルダ１６ｂ、撮像素子１６ｃ、発熱体としてのＦＰＧＡ１６ｄ（Ｆｉｅｌｄ  Ｐｒｏｇｒａｍｍａｂｌｅ  Ｇａｔｅ  Ａｒｒａｙ）、発熱体としてのＵＳＢコントローラ１６ｅなどを含む。以下では、ＦＰＧＡ１６ｄ、ＵＳＢコントローラ１６ｅをそれぞれ「発熱体」とも称する。この発熱体とは、電子部品等に通電させることに伴い熱を発生する物体を言う。
【００６９】
撮影レンズ１６ａは、一例として、それぞれの光軸がβ軸に平行になるようにβ軸方向に離間して配置された複数のレンズエレメントを有している。撮影レンズ１６ａは、一例として、Ｘ軸方向の視野角（画角）が１７０°で、α軸方向の視野角（画角）が１３５°となっている。撮影レンズ１６ａは、レンズホルダ１６ｂに保持されている。
【００７０】
レンズホルダ１６ｂの＋α側の端部及び−α側の端部には、撮影レンズ１６ａを保護するための一対のレンズ保護用突起６６ａ、６６ｂが取り付けられている。各レンズ保護用突起の外側の面は、湾曲面で構成されており、手指などが触れても、怪我をしないようになっている。
【００７１】
一対のレンズ保護用突起６６ａ、６６ｂが取り付けられたレンズホルダ１６ｂは、撮影レンズ１６ａが＋β側に露出するように段付き開口８１ａに嵌め込まれている。
【００７２】
ハウジング８０内における撮影レンズ１６ａの−β側（背面カバー８２内）には、基板８５がαＸ平面に平行に配置されている。
【００７３】
撮像素子１６ｃは、一例として、ハウジング８０内における撮影レンズ１６ａと基板８５との間に位置するように基板８５の＋β側の面に実装されている。なお、撮影レンズ１６ａと撮像素子１６ｃとの間に減光フィルタ（ＮＤフィルタ）を配置しても良い。
【００７４】
撮像素子１６ｃは、撮影レンズ１６ａを介して被写体の画像情報を取得し、取得された画像情報を電気信号に変換して、ＵＳＢコントローラ１６ｅを介して画像入力Ｉ／Ｆ１１２に出力する。撮像素子１６ｃとしては、一例として、ＣＣＤ、ＣＭＯＳなどが用いられている。ＵＳＢコントローラ１６ｅは、一例として、基板８５の−β側の面に実装されている。
【００７５】
ＦＰＧＡ１６ｄは、一例として、基板８５の−β側の面に実装されており、カメラ１６全体を統括的に制御する。
【００７６】
放熱部材９０は、一例として、ＦＰＧＡ１６ｄ及びＵＳＢコントローラ１６ｅの−β側に、ＦＰＧＡ１６ｄ及びＵＳＢコントローラ１６ｅに接触して配置されている。ここでは、放熱部材９０は、例えば金属、合金等からなる。この放熱部材９０は、金属や合金等から構成されるため、熱伝導率としては１４０Ｗ／ｍ・Ｋ以上の値を有する。
【００７７】
ここで、背面カバー８２の内壁面（−β側の内壁面、＋α側の内壁面、−α側の内壁面、＋Ｘ側の内壁面及び−Ｘ側の内壁面）には、熱伝導材としての熱伝導性塗料９４が塗布されている。この熱伝導性塗料９４は、背面カバー８２の内壁面における複数の通気口８２ａ、８２ｂに隣接する位置にも塗布されている。ここでは、熱伝導性塗料９４は、例えば、カーボン系からなる炭素繊維フィラー、金属、酸化アルミニウム、窒化ホウ素、窒化アルミニウム、酸化マグネシウム、酸化亜鉛、炭化ケイ素、石英及び水酸化アルミニウムなどの金属酸化物、金属窒化物、金属炭化物並びに金属水酸化物等のいずれかを含んでいる。従って、熱伝導性塗料９４は、正面カバー８１や背面カバー８２の材料であるエンジニアリング・プラスチックに比べて、高い熱伝導率を有する。例えば、３．０Ｗ／ｍ・Ｋ以上の熱伝導率を有する。
【００７８】
熱伝導性塗料９４の具体的な材料としては、例えば、酸化アルミニウム、酸化マグネシウム、酸化亜鉛等の金属酸化物、窒化ホウ素、窒化アルミニウム等の金属窒化物、炭化ケイ素等の金属炭化物、及び水酸化アルミニウム等の金属水酸化物が挙げられる。
【００７９】
放熱部材９０の−β側には、該放熱部材９０と接続された熱伝導部材９２が配置されている。熱伝導部材９２の−β側の面は、熱伝導性塗料９４に接触している。ここでは、熱伝導部材９２は、例えば金属、合金等からなる。
【００８０】
結果として、２つの発熱体（ＦＰＧＡ１６ｄ及びＵＳＢコントローラ１６ｅ）で発生した熱は、放熱部材９０及び熱伝導部材９２を介して熱伝導性塗料９４に伝わり、背面カバー８２の内壁面に沿って拡散され、背面カバー８２及び複数の通気口８２ａ、８２ｂを介して外部に放出される。このように、２つの発熱体と熱伝導性塗料９４との間に配置された放熱部材９０及び熱伝導部材９２は、発熱体で発生した熱を熱伝導性塗料９４に伝達する熱伝達手段を構成する。
【００８１】
この場合、各発熱体で発生した熱を、ハウジング８０内に局所的に滞留させることなく、速やかに拡散させ、外部に放出することができる。
【００８２】
以上のように構成される会議装置１００を用いるテレビ会議の一例を、以下に説明する。ここでは、テレビ会議は、複数の拠点間で、各拠点に配置された会議装置１００を用いて行われる。各拠点のユーザ（会議参加者）の人数は、例えば３人とされている。
【００８３】
各拠点の３人のユーザは、図１１に示されるように、例えば一室に配置されたテーブルＴの＋Ｘ側、−Ｘ側及び−Ｙ側にテーブルＴ側を向いた状態で着座する。
【００８４】
ここで、ユーザは、会議装置１００を、例えば操作パネル部１０ｂが手前側（−Ｙ側）に位置するようにテーブルＴ上に例えば基準形態のまま載置する。
【００８５】
具体的には、会議装置１００は、３人のユーザ全員がカメラ１６の撮影視野に入る位置、例えばテーブルＴの上面（載置面）における＋Ｙ側の端部（所望位置）に載置される。
【００８６】
ユーザは、会議装置１００を所望位置に載置した後、第１筐体１０に対して第２筐体１２をＸ軸周りに角度φ（例えば６０°≦φ≦９０°）だけ回動させる。この結果、ディスプレイ１４は、第１筐体１０を台座として概ね−Ｙ側を向いて起立した状態、すなわち−Ｙ側から視認可能な状態となる。また、この状態では、撮影レンズ１６ａ、スピーカ１８及びマイク２０が着座したユーザの顔の高さと概ね同じ高さに位置する。そして、この状態では、撮影レンズ１６ａは概ね−Ｙ側に向き、スピーカ１８の音声出力方向は概ね−Ｙ側となり、マイクの音声入力方向は概ね＋Ｙ側となる。
【００８７】
また、ユーザは、会議装置１００のテーブルＴ上への載置に併せて、会議装置１００に対する電気及び通信に関する配線の接続（例えば、ＬＡＮ端子３８とインターネットに接続される端子との結線、電源端子４４と外部電源との結線等）を行う。
【００８８】
次いで、ユーザは、電源ボタン４８を押して会議装置１００を起動させる。このとき、ディスプレイ１４にメニュー画面が表示される。このメニュー画面は、各種調整、会議の開始（双方向通信の開始）等の各項目がアイコンと文字情報で表示される。そこで、ユーザは、カーソル５２を操作して、上記メニュー画面上の会議の開始に関する項目を選択し、決定ボタン５４を押して、会議の開始を決定する。
【００８９】
会議の開始が決定されると、一拠点の会議装置１００のディスプレイ１４のメニュー画面に他拠点の宛先リストが表示され、一拠点のユーザは、カーソル５２を操作して、上記宛先リストからテレビ会議（双方向通信）を行いたい他拠点を選択して、決定ボタン５４を押して決定する。ここでは、他拠点が選択され、決定される。この結果、一拠点の会議装置１００から他拠点の会議装置１００へ双方向通信の要求が送信される。
【００９０】
他拠点の会議装置１００では、その双方向通信の要求が着信すると、その要求の容認及び拒否それぞれに関する項目を、ディスプレイ１４に表示されたメニュー画面上に表示する。
【００９１】
そこで、他拠点のユーザは、該他拠点の会議装置１００のカーソル５２及び決定ボタン５４を操作することにより、上記容認及び拒否それぞれに関する項目のうちのいずれかを選択、決定する。ここでは、容認に関する項目が選択、決定され、この結果、複数の会議装置１００は、インターネットを介して互いに双方向通信可能に接続される。
【００９２】
複数の会議装置１００間で双方向通信が開始されると、各拠点の会議装置１００のカメラ１６で取り込まれた該拠点のユーザの画像がインターネットを介して他の拠点の会議装置１００に送信され、該会議装置１００のディスプレイ１４に表示される。
【００９３】
また、各拠点の会議装置１００のマイク２０で取り込まれた該拠点のユーザの音声が、インターネットを介して他の拠点の会議装置１００に送信され、該会議装置１００のスピーカ１８から出力される。
【００９４】
このようにして、複数の拠点間での画像及び音声の双方向通信によるテレビ会議が行われる。
【００９５】
以上説明したように本実施形態のカメラモジュール１７は、２つの発熱体（ＦＰＧＡ１６ｄ及びＵＳＢコントローラ１６ｅ）が収容されるハウジング８０を備える電子機器であり、ハウジング８０の内壁面に熱伝導性塗料９４（熱伝導材）が塗布されている。
【００９６】
この場合、各発熱体で発生した熱は、熱伝導性塗料９４に伝わり、ハウジング８０の内壁面に沿って速やかに拡散され、ハウジング８０を介して外部に放出される。
【００９７】
この結果、利用者の手が触れるハウジング８０の材料として熱伝導性が高いもの（例えば金属、合金等）を用いることなく、各発熱体で発生した熱を速やかに拡散させることができる。この場合、ハウジング８０が高温にならないため、ハウジング８０の外壁面を断熱材で覆う必要がない。
【００９８】
結果として、モジュール（機器）の美観を損なうことなく、発熱体で発生した熱を速やかに拡散させることができる。
【００９９】
一方、例えば特許文献１に開示されている携帯型電子機器では、筐体を金属製としているため、筐体の外壁面を断熱材で覆う必要があり、機器の美観が損なわれるおそれがあった。そこで、機器の美観を考慮すると、筐体の外壁面を覆う断熱材を充分な厚さとすることができず、断熱効果が不十分となるおそれがあった。
【０１００】
また、カメラモジュール１７では、各発熱体で発生した熱を速やかに拡散させることができるため、ハウジング８０内が局所的に高温になることが防止され、撮像素子１６ｃ、ＦＰＧＡ１６ｄ、ＵＳＢコントローラ１６ｅ等の電子部品の動作不良、故障等を防止することができる。
【０１０１】
また、熱伝導性塗料９４は、ハウジング８０よりも熱伝導率が高いため、各発熱体で発生した熱がハウジング８０の外壁面に伝わることが極力防止される。この結果、ユーザがハウジング８０に触れたときに不快感（熱さ）を感じることがない。
【０１０２】
また、熱伝導性塗料９４は、ハウジング８０内壁面の少なくとも一部に塗布されているため、例えばシート状の熱伝導材をハウジング８０の内壁面に貼り付ける場合に比べて、作業性が良い。
【０１０３】
また、カメラモジュール１７は、ハウジング８０における各発熱体と熱伝導性塗料９４との間に配置された、放熱部材９０及び熱伝導部材９２を含む熱伝達手段を更に備えているため、各発熱体で発生した熱を効率良く、熱伝導性塗料９４に伝達することができる。
【０１０４】
また、ハウジング８０には、熱伝導性塗料９４に隣接する位置に通気口８２ａ、８２ｂが設けられているため、熱伝導性塗料９４に伝わった熱を通気口８２ａ、８２ｂを介して外部に放出することができる。すなわち、外部への熱の放出効率を高めることができる。
【０１０５】
また、熱伝導性塗料９４は、金属を含んでいるため、熱をハウジング８０の内壁面に沿って効率良く拡散させることができる。
【０１０６】
また、ハウジング８０は、樹脂製であるため、熱をハウジング８０の外壁面により伝え難くすることができる。
【０１０７】
また、カメラモジュール１７は、ハウジング８０に一部が露出するように保持された撮影レンズ１６ａと、該撮影レンズ１６ａを介して被写体の画像情報を取得する撮像素子１６ｃとを更に備えている。
【０１０８】
この場合、安全性、信頼性及びデザイン性に優れたカメラモジュール１７を提供できる。
【０１０９】
また、会議装置１００は、カメラモジュール１７と、該カメラモジュール１７の撮像素子１６ｃで取得された画像情報をインターネットを介して送信するネットワークＩ／Ｆと、を備えている。この場合、安全性及びデザイン性に優れ、かつ高品質の画像情報を安定して送信できる会議装置１００を提供できる。
【０１１０】
また、カメラモジュール１７は、第２筐体１２に対して着脱可能なため、修理等のメンテナンス、モジュールの交換、部品交換等を容易に行うことができる。
【０１１１】
なお、上記実施形態では、電子機器として、会議装置１００の一部であるカメラモジュール１７が採用されているが、これに限られず、要は、発熱体（例えば電子部品）と該発熱体が収容される筐体とを備える電子機器であれば、他の電子機器（例えばデジタルカメラ、パソコン、テレビ、オーディオ機器、家庭用電化製品等）であっても良い。
【０１１２】
また、上記実施形態では、電子機器としてのカメラモジュール１７は、ハウジング８０内に２つの発熱体（ＦＰＧＡ１６ｄ及びＵＳＢコントローラ１６ｅ）を有しているが、これに限らず、要は、ハウジング８０内に少なくとも１つの発熱体（例えば電子部品）を有していれば良い。
【０１１３】
また、上記実施形態では、ハウジング８０の内壁面に熱伝導性塗料９４が塗布されているが、これに限らず、要は、ハウジング８０の内壁面の少なくとも一部に熱伝導材が設けられていれば良い。具体的には、例えば、ハウジング８０の内壁面に、熱伝導性シート、熱伝導性フィルム等の熱伝導材が貼り付けられていても良いし、熱伝導性パネル等の熱伝導材が取り付けられていても良いし、熱伝導性グリースが塗り付けられていても良い。
【０１１４】
また、上記実施形態では、ハウジング８０の全ての内壁面（＋α側の内壁面、−α側の内壁面、−β側の内壁面、＋Ｘ側の内壁面及び−Ｘ側の内壁面）に熱伝導性塗料９４が塗布されているが、これに限られず、要は、少なくとも１つの内壁面の少なくとも一部に塗布されていれば良い。但し、ハウジング８０の少なくとも−β側の内壁面に、熱伝導性塗料９４が塗布されていることが好ましい。
【０１１５】
また、上記実施形態では、熱伝達手段は、２つの部材（放熱部材９０及び熱伝導部材９２）で構成されているが、単一の部材で構成されていても良いし、３つ以上の部材で構成されていても良い。
【０１１６】
また、上記実施形態では、ハウジングは、２つの部材（正面カバー８１及び背面カバー８２）で構成されているが、単一の部材で構成されても良いし、３つ以上の部材で構成されても良い。いずれの場合であっても、ハウジングの内壁面の少なくとも一部に熱伝導材が設けられることが好ましい。
【０１１７】
また、上記実施形態では、熱伝導材としての熱伝導性塗料は、金属を含むものが挙げられているが、要は、ハウジングよりも熱伝導性が高いことが好ましい。具体的には、熱伝導材は、金属を含まない導電性の炭素化合物であっても良い。
【０１１８】
また、上記実施形態では、ハウジングの材料は、樹脂（例えばプラスチック）とされているが、樹脂以外の材料であっても良い。
【０１１９】
また、上記実施形態におけるハウジングの形状及び大きさ、及び通気口の形状、位置、大きさ、数は、適宜変更可能である。
【０１２０】
また、上記実施形態では、ディスプレイ１４として、いわゆる液晶ディスプレイが採用されているが、これに限らず、例えばプラズマディスプレイ、ＥＬ（エレクトロルミネッセンス）ディスプレイなどの、他のディスプレイを採用しても良い。
【０１２１】
また、上記実施形態では、会議装置１００は、一室内で用いられているが、これに限定されない。会議装置１００は、上述の如く、携帯性に優れるため、特定の会議室内に据え置かれる必要はなく、自由に持ち運びし、様々な場所で用いられることが期待できる。
【０１２２】
また、上記実施形態では、通信装置として、ポータブルタイプ（可搬型）の会議装置１００が採用されているが、据え置き型の会議装置が採用されても良い。
【０１２３】
また、上記実施形態では、通信装置として、会議装置１００が採用されているが、これに限られない。例えば、通信網としての電話回線を介して音声の送受信のみを行う会議装置（いわゆる電話会議装置）が採用されても良い。すなわち、本発明の通信装置は、通信網を介した情報共有に用いられる装置として多様な態様で使用可能である。
【符号の説明】
【０１２４】
１６ａ…撮影レンズ、１６ｃ…撮像素子、１６ｄ…ＦＰＧＡ（発熱体）、１６ｅ…ＵＳＢコントローラ、１７…カメラモジュール（電子機器）、８０…ハウジング（筐体）、８２ａ、８２ｂ…通気口、９０…放熱部材（熱伝達手段の一部）、９２…熱伝導部材（熱伝達手段の一部）、９４…熱伝導性塗料、１００…会議装置（通信装置）。
【先行技術文献】
【特許文献】
【０１２５】
【特許文献１】特許第３１０６１２０号公報
【図１】
2014187230.tif 000003
【図２】
2014187230.tif 000004
【図３】
2014187230.tif 000005
【図４】
2014187230.tif 000006
【図５】
2014187230.tif 000007
【図６】
2014187230.tif 000008
【図７】
2014187230.tif 000009
【図８】
2014187230.tif 000010
【図９】
2014187230.tif 000011
【図１０】
2014187230.tif 000012
【図１１】
2014187230.tif 000013